(57)【要約】【課題】調整爪部２０と歯列部２０ａとにより弾性部材（引張コイルスプリング８）の伸縮度合いを調節し、その引張力を大小可変とする弾性力調整機構Ｐを構成する収納箱用ドアクローザ１を提供する。【解決手段】弾性力調整機構Ｐにおいて、調整爪部２０の先端爪２０ａを複数の歯部９ａのうち所望の歯部９ａに摺動操作により係合することにより、引張コイルスプリング８の伸縮度合いを大小調節することができる。これにより、スライドドア３の開閉動作を静穏に行えることは勿論、非力な者や頑健な者など使用者の開閉操作力に応じて、ドアの開放時の抵抗力や閉鎖時の減速割合を簡単な操作で所望に調節することができる。【選択図】図４
2015203284.tif 000002
【特許請求の範囲】
【請求項１】
収納箱の開口内周部に取り付けられるドアクローザ本体とスライドドア側に取り付けられるガイド部材を有する収納箱用ドアクローザにおいて、
前記ドアクローザ本体は、
ケース内に配設され、ロッドをシリンダに対して第１位置と第２位置との間のダンパーストロークにわたって往復移動させるダンパーと、
前記ダンパーに沿って並列状態に配され、長手方向に沿って伸縮可能となるように設けられた弾性部材と、
前記ロッドとは反対側で前記弾性部材と一列状態に固定され、軸方向に配列された複数の歯部から成るラチェット状の歯列部と、
前記弾性部材の一端部に連結されて、前記歯列部に沿って摺動可能に設けられ、前記複数の歯部のうち所望の歯部に着脱可能に係合する調整爪部と、
前記ガイド部材に対して係脱可能に設けられ、前記ロッドの先端部と前記弾性部材の他端部とに連結され、前記ロッドを前記弾性部材の付勢力に抗して前記第１位置から前記第２位置に伸張させた際、前記ロッドを前記第２位置にロックするトリガー部とを備え、
前記調整爪部と前記歯列部とにより前記弾性部材の伸縮度合いを調節し、その引張力を大小可変とする弾性力調整機構を構成し、
前記スライドドアの開放過程で、前記ガイド部材が前記第１位置で前記トリガー部に係合したまま、前記弾性部材の付勢力に抗して開放方向に移動し、前記第２位置で前記トリガー部により前記ロッドをロックした際、前記ガイド部材が前記トリガー部から脱して開放方向に移動し、前記スライドドアの閉鎖過程で、前記ガイド部材が前記第２位置で前記トリガー部に係合してロックを外し、前記弾性部材の付勢力に助けられながらも、前記ダンパーに抗して閉鎖方向に移動することを特徴とする収納箱用ドアクローザ。
【請求項２】
収納箱の開口内周部に取り付けられるドアクローザ本体とスライドドア側に取り付けられるガイド部材を有する収納箱用ドアクローザにおいて、
前記ドアクローザ本体は、
ケース内に配設され、ロッドをシリンダに対して第１位置と第２位置との間のダンパーストロークにわたって往復移動させるダンパーと、
前記ダンパーに沿って並列状態に配され、長手方向に沿って伸縮可能となるように設けられた弾性部材と、
前記ロッドとは反対側で前記弾性部材の一端部に連結されて軸方向に移動可能に配された雄ねじ棒と、
前記雄ねじ棒に螺合し、左右方向の回転操作により前記雄ねじ棒を軸方向に螺進退させて前記弾性部材を伸縮変位させる雌ねじ部材と、
前記ガイド部材に係脱可能に設けられ、前記ロッドの先端部および前記弾性部材の他端部に連結され、前記ロッドを前記弾性部材の付勢力に抗して前記第１位置から前記第２位置に伸張させた際、前記ロッドを前記第２位置にロックするトリガー部とを備え、
前記雄ねじ棒と前記雌ねじ部材とにより前記弾性部材の伸縮度合いを調節し、その引張力を大小可変とする弾性力調整機構を構成し、
前記スライドドアの開放過程で、前記ガイド部材が前記第１位置で前記トリガー部に係合したまま、前記弾性部材の付勢力に抗して開放方向に移動し、前記第２位置で前記トリガー部により前記ロッドをロックした際、前記ガイド部材が前記トリガー部から脱して開放方向に移動し、前記スライドドアの閉鎖過程で、前記ガイド部材が前記第２位置で前記トリガー部に係合してロックを外し、前記弾性部材の付勢力に助けられながらも、前記ダンパーに抗して閉鎖方向に移動することを特徴とする収納箱用ドアクローザ。
【請求項３】
前記弾性部材は、引張コイルスプリングであることを特徴とする請求項１または請求項２に記載の収納箱用ドアクローザ。
【請求項４】
前記弾性力調整機構において、回転操作により前記雌ねじ部材に回転力を伝達する調整ダイヤルを有することを特徴とする請求項２に記載の収納箱用ドアクローザ。
【請求項５】
前記トリガー部は、三角状の頭部と両端に脚部を有する駒部であり、前記スライドドアの開放過程において前記第２位置では、前記ケースに形成した切欠き凹部に前記頭部の底辺突条部を係合させた際、前記弾性部材により前記切欠き凹部に前記底辺突条部を係合方向に付勢することにより、前記ロッドを前記第２位置にロックするようにしたことを特徴とする請求項１または請求項２に記載の収納箱用ドアクローザ。
【請求項６】
前記ガイド部材は、前記駒部の両脚部間に対して出没可能に設けられた突出部を有し、該突出部は常にスプリングにより突出方向に付勢されており、前記両脚部のうち一方に対して当接可能に傾斜する第１傾斜部、および他方に対して当接可能に傾斜する第２傾斜部を備え、前記突出部は、前記スライドドアの開放過程において前記第２位置で前記第１傾斜部を前記両脚部の一方に当てて前記底辺突条部を前記切欠き凹部に係合させる方向に変位させ、閉鎖過程において前記第２位置で前記第２傾斜部を前記両脚部の他方に当てて前記底辺突条部を前記切欠き凹部から脱する方向に変位させることを特徴とする請求項５に記載の収納箱用ドアクローザ。
【請求項７】
前記ケースには、前記調整爪部の位置を明示することにより、前記弾性部材の伸縮変位を示して弾性力の強弱を表す調整数字が表示されていることを特徴とする請求項１または請求項２に記載の収納箱用ドアクローザ。
【発明の詳細な説明】
【技術分野】
【０００１】
本発明は、収納箱のスライドドアを開放後に閉じる際、ドアがダンパー作用でゆっくりスライドして閉じるように構成した収納箱用ドアクローザに関する。
【背景技術】
【０００２】
ドアクローザ装置では、例えば乗車側出入口で扉の開閉動作を静穏に行うことができるエレベータに適用されている（特許文献１参照）。
【０００３】
このドアクローザ装置は、ガイドプーリから垂下させたロープをクローザスプリングに連結し、その弾性力によりロープを下方に牽引している。ロープの一端をガイドプーリを介して高速スライドドアに引き寄せる牽引力を与えて高速スライドドアの自動閉鎖力としていている。
【０００４】
ドアクローザを備えた家具などの調度品にあっては、引き戸式のスライドドアが設けられ、開閉動作がゆっくと静穏に行われるように設定された収納箱がある。ドアの開放時、一定の抵抗力に抗しながら開き、閉鎖時には一定の割合で減速しながら閉じるように設計されている。
しかしながら、顧客によっては、家族の開閉操作力など使用者に応じてドアの開放時の抵抗力や閉鎖時の減速割合を所望に調節できるように設定された構造を所望する場合がある。
【先行技術文献】
【特許文献】
【０００５】
【特許文献１】特開２００７−２１７０８４号公報
【発明の概要】
【発明が解決しようとする課題】
【０００６】
特許文献１のドアクローザ装置では、開扉時に受ける抵抗力や閉扉時に扉の減速割合を所望に調整できる操作手段は備えていないものである。ここで、家具調度品などにあっては、一般の使用に供されているため、操作力の異なる者などが使用することが多い。
このため、非力な者や頑健な者など使用者の開閉操作力に応じてドアの開放時の抵抗力や閉鎖時の減速割合を簡単な操作で所望に調節できる収納箱用ドアクローザの登場が望まれていた。
【０００７】
本発明は上記事情に鑑みてなされたもので、その目的は、ドアの開放時の抵抗力や閉鎖時の減速割合を簡単な操作で所望に調節できる収納箱用ドアクローザを提供することにある。
【課題を解決するための手段】
【０００８】
（請求項１について）
収納箱の開口内周部に取り付けられるドアクローザ本体とスライドドア側に取り付けられるガイド部材を有する収納箱用ドアクローザにおいて、ドアクローザ本体は、ケース内に配設されたダンパーを有する。ダンパーは、ロッドをシリンダに対して第１位置と第２位置との間のダンパーストロークにわたって往復移動させるようになっている。
ダンパーに沿って並列状態に配された弾性部材は、長手方向に沿って伸縮可能となるように設けられている。ラチェット状の歯列部は軸方向に配列された複数の歯部から成り、ロッドとは反対側で弾性部材と一列状態に固定されている。
歯列部に沿って摺動可能に設けられた調整爪部は、弾性部材の一端部に連結され、複数の歯部のうち所望の歯部に着脱可能に係合する。トリガー部は、ガイド部材に対して係脱可能に設けられ、ロッドの先端部と弾性部材の他端部とに連結され、ロッドを弾性部材の付勢力に抗して第１位置から第２位置に伸張させた際、ロッドを第２位置にロックする。
調整爪部と歯列部とにより弾性部材の伸縮度合いを調節し、その引張力を大小可変とする弾性力調整機構を構成する。スライドドアの開放過程で、ガイド部材が第１位置でトリガー部に係合したまま、弾性部材の付勢力に抗して開放方向に移動する。
第２位置でトリガー部によりロッドをロックした際、ガイド部材は、トリガー部から脱して開放方向に移動する。スライドドアの閉鎖過程で、ガイド部材が第２位置でトリガー部に係合してロックを外し、弾性部材の付勢力に助けられながらも、ダンパーに抗して閉鎖方向に移動する。
【０００９】
請求項１では、弾性力調整機構において、調整爪部を複数の歯部のうち所望の歯部に係合することにより、弾性部材の伸縮度合いを大小調節することができる。これにより、スライドドアの開閉動作を静穏に行えることは勿論、非力な者や頑健な者など使用者の開閉操作力に応じて、ドアの開放時の抵抗力や閉鎖時の減速割合を簡単な操作で所望に調節することができる。
【００１０】
（請求項２について）
請求項２が請求項１と異なるところは、弾性力調整機構を雄ねじ棒と雌ねじ部材により構成したことである。
請求項２では、弾性力調整機構において、雌ねじ部材の回転操作により、雄ねじ棒を介して弾性部材を伸縮変位させて弾性部材の伸縮度合いを大小調節することができる。これにより、請求項１と同様に、スライドドアの開閉動作を静穏に行えることは勿論、非力な者や頑健な者など使用者の開閉操作力に応じて、ドアの開放時の抵抗力や閉鎖時の減速割合を簡単な操作で所望に調節することができる。
【００１１】
（請求項３について）
弾性部材には、引張コイルスプリングを適用している。請求項３では、弾性部材を入手可能な一般的な材料として容易に調達できてコスト的に有利である。
【００１２】
（請求項４について）
弾性力調整機構において、回転操作により雌ねじ部材に回転力を伝達する調整ダイヤルを有している。請求項４では、調整ダイヤルを回転させて弾性部材の伸縮量を調整できる便宜が得られる。
【００１３】
（請求項５について）
トリガー部は、三角状の頭部と両端に脚部を有する駒部として設けている。スライドドアの開放過程において第２位置では、ケースに形成した切欠き凹部に頭部の底辺突条部を係合させた際、弾性部材により切欠き凹部に底辺突条部を係合方向に付勢することにより、ロッドを第２位置にロックするようにした。
【００１４】
請求項５では、弾性部材を利用して頭部の底辺突条部を切欠き凹部への係合方向に付勢させてロッドを第２位置にロックしている。このため、係合方向に付勢させる別部材が不要になり、簡素な構造でコスト的にも有利である。
【００１５】
（請求項６について）
ガイド部材は、駒部の両脚部間に対して出没可能に設けられた突出部を有する。突出部は常にスプリングにより突出方向に付勢されており、両脚部のうち一方に対して当接可能に傾斜する第１傾斜部および他方に対して当接可能に傾斜する第２傾斜部を備えている。
突出部は、スライドドアの開放過程において第２位置で第１傾斜部を両脚部の一方に当てて底辺突条部を切欠き凹部に係合させる方向に変位させる。閉鎖過程において第２位置で、突出部は第２傾斜部を両脚部の他方に当てて底辺突条部を切欠き凹部から脱する方向に変位させる。
【００１６】
請求項６では、ガイド部材を駒部の両脚部間に対して出没可能に設けた突出部から構成している。突出部は第１傾斜部および第２傾斜部を有し、第１傾斜部を両脚部のうち一方に対して当接可能に傾斜させ、第２傾斜部を両脚部のうち他方に対して当接可能に傾斜させている。これにより、簡素な構成で、開放方向および閉鎖方向に応じて、切欠き凹部に対する底辺突条部の係脱動作が可能となり、ガイド部材をコンパクトでコスト的に有利にすることができる。
【００１７】
（請求項７について）
ケースには、調整爪部の位置を明示することにより、弾性部材の伸縮変位を示して弾性力の強弱を表す調整数字が表示されている。
請求項７では、調整爪部の位置を明示する調整数字を用いているので、弾性部材の伸縮量を数値化して定量的に認識できる便宜が得られる。
【図面の簡単な説明】
【００１８】
【図１】収納箱を示す斜視図である（実施例１）。
【図２】開放状態の収納箱を示す斜視図である（実施例１）。
【図３】ドアクローザと一緒に示す引き戸式のスライドドアの斜視図である（実施例１）。
【図４】（ａ）は収納箱用ドアクローザの内部構造を示す正面図、（ｂ）は（ａ）のＡ−Ａ線に沿う断面図、（ｃ）は収納箱用ドアクローザを示す外観図、（ｄ）は収納箱用ドアクローザを示す端面図、（ｅ）は収納箱用ドアクローザを示す側面図である（実施例１）。
【図５】（ａ）はガイド部材の上面図、（ｂ）はガイド部材の正面図、（ｃ）はガイド部材の側面図、（ｄ）はガイド部材の斜視図である（実施例１）。
【図６】開放方向および閉鎖方向において、突出部が駒部の両脚間に係脱する態様を示す斜視図である（実施例１）。
【図７】（ａ）は収納箱用ドアクローザの内部構造を示す正面図、（ｂ）は収納箱用ドアクローザの端面図、（ｃ）は収納箱用ドアクローザを示す外観図である（実施例２）。
【発明を実施するための形態】
【００１９】
本発明に係る収納箱用ドアクローザでは、弾性力調整機構により、弾性部材の伸縮度合いを大小調節することができる。これにより、スライドドアの開閉動作を静穏に行えることは勿論、非力な者や頑健な者など使用者の開閉操作力に応じて、ドアの開放時の抵抗力や閉鎖時の減速割合を簡単な操作で所望に調節できる特徴を有する。
【実施例】
【００２０】
〔実施例１の構成〕
図１ないし図６に基づいて本発明の実施例１について説明する。
本発明に係る実施例１では、図１および図２に示す収納箱２に収納箱用ドアクローザ１が適用される。収納箱２は、図３に示す引き戸式のスライドドア３を有している。、収納箱用ドアクローザ１は、ドアクローザ本体４とガイド部材５とを有する。ドアクローザ本体４は、収納箱２の開口内周部２ａに取り付けられ、ガイド部材５はスライドドア３側に取り付けられている。
【００２１】
ドアクローザ本体４は、図４（ａ）および図４（ｅ）にも示すように、合成樹脂製のケース６内に配設されたダンパー７を有する。ダンパー７は、ロッド７ａをシリンダ７ｂに対して第１位置Ｈ１と第２位置Ｈ２との間のダンパーストロークＨ３にわたって往復移動させるようになっている。弾性部材は、例えば引張コイルスプリング８としてダンパー７に沿って並列状態に配されている。ラチェット状の歯列部９は、軸方向に配列された複数の歯部９ａから成り、ロッド７ａとは反対側で引張コイルスプリング８と一列状態に配されている。
【００２２】
調整爪部２０は先端爪２０ａを備え、図４（ｂ）に示すように、歯列部９に沿って摺動可能に設けられている。調整爪部２０は、引張コイルスプリング８の一端部８ａに連結され、先端爪２０ａを複数の歯部９ａのうち所望の歯部９ａに着脱可能に係合している。
歯列部９がラチェット状を成しているため、調整爪部２０は、先端爪２０ａを歯列部９に対して閉鎖方向に摺動させることにより同方向に移動する。また、先端爪２０ａを歯列部９の歯部９ａから一時的に引き上げて両者の係合を外すことにより、調整爪部２０を開放方向に移動させることができる。これら調整爪部２０と歯列部９により引張コイルスプリング８の伸縮度合いを調節し、その引張力を大小可変とする弾性力調整機構Ｐを構成する。
【００２３】
ケース６には、図４（ｃ）に示すように、調整窓枠部Ｗｐ内に調整爪部２０の位置を明示することにより、引張コイルスプリング８の伸縮変位を示して弾性力の強弱を表す調整数字が表示されている。これにより、引張コイルスプリング８の伸縮量を数値化して定量的に認識することができる。調整数字は、例えば９段階の伸縮量に類別化し、数字が大きくなるに連れて引張コイルスプリング８の伸張量が増加するように設定している。なお、調整爪部２０が調整窓枠部Ｗｐ内で図示左右に摺動可能な距離範囲をバネ調整幅としている。
【００２４】
トリガー部１０は、図３に示すガイド部材５に対して係脱可能に設けられ、ロッド７ａの先端部および引張コイルスプリング８の他端部８ｂに連結されている。このトリガー部１０は、ロッド７ａを引張コイルスプリング８の付勢力に抗して第１位置Ｈ１から第２位置Ｈ２に伸張させた際、ロッド７ａを第２位置Ｈ２にロックする。トリガー部１０が図示左側に対応するケース６の端面には、後述するように、ガイド部材５のための出入口６ｄが形成されている（図４（ａ）、（ｃ）、（ｄ）参照）。
【００２５】
トリガー部１０をより具体化すれば、トリガー部１０は、三角状の頭部１０ａと両端に脚部１０ｂ、１０ｃを有する駒部１３として設けている。
スライドドア３の開放過程において第２位置Ｈ２では、ケース６に形成した切欠き凹部６ａに頭部１０ａの底辺突条部１０ｄを係合させた際、引張コイルスプリング８の付勢力により切欠き凹部６ａに底辺突条部１０ｄを係合方向に付勢することにより、ロッド７ａを第２位置Ｈ２にロックするようにした。
【００２６】
すなわち、トリガー部１０の頭部１０ａは、ピン１２の周りで左右方向に回動可能に設けられ、常にはロッド７ａを第１位置Ｈ１に戻す方向に引張コイルスプリング８の引張力を受けている。このため、トリガー部１０が第２位置Ｈ２に至ると、頭部１０ａがピン１２を中心にして右方向Ｎに回動し、底辺突条部１０ｄが切欠き凹部６ａに配されるとともに、底辺突条部１０ｄを切欠き凹部６ａに係合させる方向に付勢する。
【００２７】
ガイド部材５の具体的形状としては、図５（ａ）−（ｄ）に示すように、駒部１３の両脚部１０ｂ、１０ｃ間に対して出没可能に設けられた突出部１４を有する。突出部１４は、取付板１６ａを有するガイド本体１６から常に圧縮スプリング１５により突出方向Ｍに付勢されており、両脚部１０ｂ、１０ｃのうち一方に対して当接可能に傾斜する第１傾斜部１４ａおよび他方に対して当接可能に傾斜する第２傾斜部１４ｂを備えている。
突出部１４は後端部に弾性爪１４ｃを有し、ガイド本体１６は弾性爪１４ｃに対応するスリット１６ｂを有している（図５（ｂ）参照）。突出部１４を圧縮スプリング１５の付勢力に抗し、突出方向Ｍとは反対の没する方向に後退させることができる。この時、弾性爪１４ｃがスリット１６ｂに係合するため、突出部１４を後退位置に保持することもできる。
【００２８】
スライドドア３の開放過程において、第２位置Ｈ２を通過する突出部１４は、第１傾斜部１４ａを両脚部１０ｂ、１０ｃの一方に当てることで、底辺突条部１０ｄを切欠き凹部６ａに係合させる方向に回動変位させる（図６参照）。
閉鎖過程において、第２位置Ｈ２を通過する突出部１４は、第２位置Ｈ２で第２傾斜部１４ｂを両脚部１０ｂ、１０ｃの他方に当てることで、底辺突条部１０ｄを切欠き凹部６ａから脱する回動方向に変位させる（図６参照）。
【００２９】
上記構成において、スライドドア３の開放過程では、ガイド部材１６が第１位置Ｈ１でトリガー部１０に係合したまま、引張コイルスプリング８の付勢力に抗して開放方向に移動する。この状態では、突出部１４は駒部１３の両脚部１０ｂ、１０ｃ間に挟入により係合されたままで第２位置Ｈ２に至る。
【００３０】
ガイド部材５が第２位置Ｈ２から開放方向に移動する際、図６に示すように、突出部１４の第１傾斜部１４ａが脚部１０ｂに当たって、頭部１０ａを右方向Ｎに回動させて底辺突条部１０ｄを切欠き凹部６ａに係合させる。頭部１０ａの右方回動の際、両脚部１０ｂ、１０ｃに対する突出部１４の係合が外れるため、突出部１は両脚部１０ｂ、１０ｃの拘束から脱して自由となり、出入口６ｄを出て開放方向に移動する。
【００３１】
第２位置Ｈ２で、頭部１０ａが右方向Ｎに回動して底辺突条部１０ｄを切欠き凹部６ａに係合した時、引張コイルスプリング８の引張力が頭部１０ａを右方向Ｎに回動付勢する。このため、頭部１０ａの底辺突条部１０ｄが切欠き凹部６ａに係合保持され、ロッド７ａを第２位置Ｈ２にロックする。
【００３２】
スライドドア３の閉鎖過程で、ガイド部材１６が第２位置Ｈ２でトリガー部１０に係合してロックを外す。具体的には、突出部１４が出入口６ｄからケース６内の第２位置Ｈ２に至って閉鎖方向に移動する際、図６に示すように、突出部１４の第２傾斜部１４ｂが脚部１０ｃに当たり、頭部１０ａを右方向Ｎとは反対の左方向に回動させる。
この回動により、底辺突条部１０ｄが切欠き凹部６ａに対する係合から解かれて自由になってロッド７ａに対するロックを解除するとともに、突出部１４が駒部１３の両脚部１０ｂ、１０ｃ間に挟入により係合される。
これにより、突出部１４は、両脚部１０ｂ、１０ｃ間に挟入係合されたまま引張コイルスプリング８の付勢力に助けられながらも、ダンパー７に抗して閉鎖方向に移動して元の第１位置Ｈ１に戻る。
【００３３】
実施例１では、弾性力調整機構Ｐにおいて、調整爪部２０の先端爪２０ａを複数の歯部９ａのうち所望の歯部９ａに摺動操作により係合することにより、引張コイルスプリング８の伸縮度合いを大小調節することができる。これにより、スライドドア３の開閉動作を静穏に行えることは勿論、非力な者や頑健な者など使用者の開閉操作力に応じて、ドアの開放時の抵抗力や閉鎖時の減速割合を簡単な操作で所望に調節することができる。
【００３４】
また、トリガー部１０は、三角状の頭部１０ａと両端に脚部１０ｂ、１０ｃを有する駒部１３として設けている。引張コイルスプリング８を利用して底辺突条部１０ｄを切欠き凹部６ａへの係合方向に付勢させてロッド７ａをロックしている。このため、係合方向に付勢させる別部材が不要になり、簡素な構造でコスト的にも有利である。
【００３５】
また、ガイド部材５を駒部１３の両脚部１０ｂ、１０ｃ間に対して出没可能に設けた突出部１４から構成している。突出部１４は第１傾斜部１４ａおよび第２傾斜部１４ｂを有し、第１傾斜部１４ａを両脚部１０ｂ、１０ｃのうち一方に対して当接可能に傾斜させ、第２傾斜部１４ｂを両脚部１０ｂ、１０ｃのうち他方に対して当接可能に傾斜させている。これにより、簡素な構成で、スライドドア３の開放方向および閉鎖方向に応じて、切欠き凹部６ａに対する底辺突条部１０ｄの係脱動作が可能となり、ガイド部材５をコンパクトでコスト的に有利にすることができる。
【００３６】
〔実施例２の構成〕
図７は本発明の実施例２を示す。実施例２が実施例１と異なるところは、調整爪部２０と歯列部９とに代わって、雄ねじ棒２１と雌ねじ部材２２とで引弾性力調整機構Ｐを構成したことである。
【００３７】
この場合、細長なケース６の図示右端部には、図７（ａ）に示すように、ナット状の雌ねじ部材２２が回転可能に設けられて。雌ねじ部材２２の外周部に形成した歯部２２ａは、図７（ｂ）に示すように、歯車状の調整ダイヤル２４の外歯２４ａに噛合している。雌ねじ部材２２には、図７（ａ）に矢印Ｓで示すように、雄ねじ棒２１が軸方向に沿って螺進退可能に螺合している。
雄ねじ棒２１の一端部は、引張コイルスプリング８の一端部に連結され、他端はケース６の外部に突出している。
引張コイルスプリング８に一端部には、調整窓枠部Ｗｐ内に位置する調整板２５が取り付けられている。図７（ｃ）に示すように、調整板２５が調整窓枠部Ｗｐ内で左右に摺動可能な距離範囲をバネ調整幅としている。
【００３８】
上記構成で、調整ダイヤル２４を一方向に回転すると、その回転力が雌ねじ部材２２に伝わって雌ねじ部材２２を回転させる。この回転により、雄ねじ棒２１が、例えば開放方向に螺進して、引張コイルスプリング８を押圧移動させて収縮させる。
また、調整ダイヤル２４を他方向に回転すると、その回転力が雌ねじ部材２２に伝わって雌ねじ部材２２を回転させる。この回転に伴い、雄ねじ棒２１が軸部に沿って閉鎖方向に螺進し、引張コイルスプリング８を引張方向に伸張させる。
【００３９】
このように、実施例２では、調整ダイヤル２４の回転操作時、雌ねじ部材２２の回転により雄ねじ棒２１を軸方向に螺進退させることで、引張コイルスプリング８の伸縮量を所望に設定することができる。すなわち、調整ダイヤル２４で引張コイルスプリング８を伸縮変位させて引張コイルスプリング８の伸縮度合いを大小調節することができる。
これにより、実施例１と同様に、スライドドア３の開閉動作を静穏に行えることは勿論、非力な者や頑健な者など使用者の開閉操作力に応じて、ドアの開放時の抵抗力や閉鎖時の減速割合を簡単な操作で所望に調節することができる。
なお、調整ダイヤル２４に代わって、ウォーム歯車を回転可能に設け、その外歯を雌ねじ部材２２の歯部２２ａに噛合させ、ウォーム歯車の回転操作により雌ねじ部材２２を回転させるようにしてもよい。
【００４０】
〔変形例〕
（ａ）実施例１、２におけるケース６の合成樹脂としては下記の材料を用いてもよい。
すなわち、ポリアミド（ＰＡ）、ポリエステル、ポリイミド、ポリアミドイミド、ポリアセタール、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）、ポリテトラフルオロエチレン（ＰＴＦＥ）あるいはシンジオタクチックポリスチレン（ＳＰＳ）などのプラスチック材料を用いてもよい。
【００４１】
（ｂ）実施例１、２では、弾性部材として引張コイルスプリング８を用いたが、引張コイルスプリング８に限らず、単なるコイルスプリングや圧縮コイルスプリングでもよく、あるいはゴム製の紐体や帯体でもよく、要は弾性伸縮量を調整できるものであればよい。
（ｃ）実施例１で用いた歯列部９の歯部９ａは等間隔配置でも不等間隔配置でもよく、要は調整爪部２０の先端爪２０ａが歯部９ａに係合するものであればよい。
（ｄ）実施例１、２では、引張コイルスプリング８の伸張量について調整数字を９段階に類別化したが、９段階に限らず、使用状況などに応じて増減し所望の段階数に変更してもよい。
【産業上の利用可能性】
【００４２】
本発明に係る収納箱用ドアクローザでは、弾性力調整機構により、弾性部材の伸縮度合いを大小調節可能なため、スライドドアの開閉動作を静穏に行えることは勿論、非力な者や頑健な者など使用者の開閉操作力に応じて、ドアの開放時の抵抗力や閉鎖時の減速割合を簡単な操作で所望に調節できる。これらの有用性に着目した事業からの需要が喚起されるため、関連部品の流通を介して機械産業に適用可能である。
【符号の説明】
【００４３】
１        収納箱用ドアクローザ
２        収納箱
３        スライドドア
４        ドアクローザ本体
５        ガイド部材
６        ケース
６ａ      切欠き凹部
７        ダンパー
７ａ      ロッド
７ｂ      シリンダ
８        圧縮コイルスプリング（弾性部材）
８ａ      圧縮コイルスプリングの一端部
８ｂ      圧縮コイルスプリングの他端部
９        歯列部
９ａ      歯部
１０      トリガー部材
１０ａ    頭部
１０ｂ、１０ｃ  脚部
１０ｄ    底辺突条部
１３      駒部
１４      突出部
１４ａ    第１傾斜部
１４ｂ    第２傾斜部
１５      圧縮スプリング（スプリング）
１６      ガイド本体
２０      調整爪部
２０ａ    調整爪部の先端爪
２１      雄ねじ棒
２２      雌ねじ部材
２４      調整ダイヤル
Ｈ１      第１位置
Ｈ２      第２位置
Ｈ３      ダンパーストローク
【図１】
2015203284.tif 000003
【図２】
2015203284.tif 000004
【図３】
2015203284.tif 000005
【図４】
2015203284.tif 000006
【図５】
2015203284.tif 000007
【図６】
2015203284.tif 000008
【図７】
2015203284.tif 000009